(57)【特許請求の範囲】
【請求項１】
浅い皿を伏せた形状をなし、中心部に水の流出口を設け、内面に軟質性ゴム板、シリコン、エラストマー又は発泡したアクリロニトリル・ブタジエンゴムのいずれかからなる部材を取着した上キャップと、浅い皿状をなし、内面に軟質性ゴム板、シリコン、エラストマー又は発泡したアクリロニトリル・ブタジエンゴムのいずれかからなる部材を取着した下キャップと、活性炭、粉炭、粒状炭、造粒炭又は繊維炭等からなる成形炭本体とからなり、該成形炭本体の上下端面に前記上キャップと下キャップを接離可能に被着し、使用時には適宜の保持手段をもってこれらを一体化することからなる浄水器用成形炭の保持方法であって、前記保持手段を、上キャップの外周に刻設した雄ねじと、外周に雄ねじを刻設した、下キャップを受ける受板と、内周の上下の端部に前記上キャップの雄ねじと下キャップを受ける受板の雄ねじを夫々螺合する雌ねじを刻設すると共に、壁面に多数の通水口を設けた円筒状連結体とをもって構成してなる浄水器用成形炭の保持方法。
【請求項２】
浅い皿を伏せた形状をなし、中心部に水の流出口を設け、内面に軟質性ゴム板、シリコン、エラストマー又は発泡したアクリロニトリル・ブタジエンゴムのいずれかからなる部材を取着した上キャップと、浅い皿状をなし、内面に軟質性ゴム板、シリコン、エラストマー又は発泡したアクリロニトリル・ブタジエンゴムのいずれかからなる部材を取着した下キャップと、活性炭、粉炭、粒状炭、造粒炭又は繊維炭等からなる成形炭本体とからなり、該成形炭本体の上下端面に前記上キャップと下キャップを接離可能に被着し、使用時には適宜の保持手段をもってこれらを一体化してなる浄水器用成形炭であって、前記保持手段を、上キャップの外周に刻設した雄ねじと、外周に雄ねじを刻設した、下キャップを受ける受板と、内周の上下の端部に前記上キャップの雄ねじと下キャップを受ける受板の雄ねじを夫々螺合する雌ねじを刻設すると共に、壁面に多数の通水口を設けた円筒状連結体とをもって構成してなる浄水器用成形炭。
【発明の詳細な説明】
【０００１】
【発明の属する技術分野】
本発明は浄水器用成形炭の保持方法及び浄水器用成形炭に関するものである。
【０００２】
【従来の技術】
浄水器内には活性炭、粉炭、粒状炭、造粒炭又は繊維炭等からなる成形炭本体を設置している。図９には該成形炭本体の斜視図を、また図１０にはその中央縦断面図を示している。
【０００３】
該成形炭本体１００は円柱状をなすと共に中心部に通水孔１０１が設けられている。そして、該成形炭本体１００を浄水器内に設置するにあたっては、これに上、下のキャップを被着する必要があり、従来二通りの構成が採用されている。
【０００４】
第一の構成は、図１１及び図１２に示す如く、中心部に水の流出口１０２を設けた上キャップ１０３と、水の流出口のない下キャップ１０４とを用い、これら上キャップ１０３と下キャップ１０４を成形炭本体１００の上下の端面に被着し、接着して固定するものである。
【０００５】
斯かる構成の場合には、水は成形炭本体１００の外周面から活性炭、粉炭、粒状炭、造粒炭又は繊維炭等を通過して中心部に入り、それの通水孔１０１から上キャップ１０３の水の流出口１０２に流れて出るものである。
【０００６】
また、第二の構成は、図１３及び図１４に示す如く、上下のキャップを同形のものを用いるものである。即ち、上キャップ１０５は中心部に水の流出口１０６を設け、また下キャップ１０７も同様に中心部に水の流出口１０８を設けている。そしてこれらはいずれも成形炭本体１００に被着し、接着して固定している。
【０００７】
斯かる構成の場合には、下キャップ１０７を浄水器本体１０９に押しつけて止水するものであり、水は前記第一の構成と同様に、成形炭本体１００の外周面から活性炭、粉炭、粒状炭、造粒炭又は繊維炭等を通過して中心部に入り、それの通水孔１０１から上キャップ１０５の水の流出口１０６に流れて出るものである。
【０００８】
【発明が解決しようとする課題】
上記従来のいずれの構成にあっても、廃棄するときに成形炭本体と共に上、下のキャップも一緒に廃棄しなければならなかった。
【０００９】
本発明は上記の点に鑑みなされたものであって、廃棄するときに上、下のキャップを成形炭本体から取り外し、成形炭本体のみを廃棄し、上、下のキャップは再利用することができるようになし、且つまた、成形炭本体を再生・成形して再利用する場合にあっては分解が容易にでき、作業工程上能率を高めることができるようになした浄水器用成形炭の保持方法及び浄水器用成形炭を提供しようとするものである。
【００１０】
【課題を解決するための手段】
而して、本発明の要旨とするところは、浅い皿を伏せた形状をなし、中心部に水の流出口を設け、内面に軟質性ゴム板、シリコン、エラストマー又は発泡したアクリロニトリル・ブタジエンゴムのいずれかからなる部材を取着した上キャップと、浅い皿状をなし、内面に軟質性ゴム板、シリコン、エラストマー又は発泡したアクリロニトリル・ブタジエンゴムのいずれかからなる部材を取着した下キャップと、活性炭、粉炭、粒状炭、造粒炭又は繊維炭等からなる成形炭本体とからなり、該成形炭本体の上下端面に前記上キャップと下キャップを接離可能に被着し、使用時には適宜の保持手段をもってこれらを一体化することからなる浄水器用成形炭の保持方法であって、前記保持手段を、上キャップの外周に刻設した雄ねじと、外周に雄ねじを刻設した、下キャップを受ける受板と、内周の上下の端部に前記上キャップの雄ねじと下キャップを受ける受板の雄ねじを夫々螺合する雌ねじを刻設すると共に、壁面に多数の通水口を設けた円筒状連結体とをもって構成してなる浄水器用成形炭の保持方法、及び浅い皿を伏せた形状をなし、中心部に水の流出口を設け、内面に軟質性ゴム板、シリコン、エラストマー又は発泡したアクリロニトリル・ブタジエンゴムのいずれかからなる部材を取着した上キャップと、浅い皿状をなし、内面に軟質性ゴム板、シリコン、エラストマー又は発泡したアクリロニトリル・ブタジエンゴムのいずれかからなる部材を取着した下キャップと、活性炭、粉炭、粒状炭、造粒炭又は繊維炭等からなる成形炭本体とからなり、該成形炭本体の上下端面に前記上キャップと下キャップを接離可能に被着し、使用時には適宜の保持手段をもってこれらを一体化してなる浄水器用成形炭であって、前記保持手段を、上キャップの外周に刻設した雄ねじと、外周に雄ねじを刻設した、下キャップを受ける受板と、内周の上下の端部に前記上キャップの雄ねじと下キャップを受ける受板の雄ねじを夫々螺合する雌ねじを刻設すると共に、壁面に多数の通水口を設けた円筒状連結体とをもって構成してなる浄水器用成形炭にある。
【００１１】
【発明の実施の形態】
以下、本発明の実施形態について図面を参照しつつ説明する。
図１は本発明の実施形態に係る成形炭の中央部から半分を断面で示した正面図、図２は本発明の実施形態で用いる上キャップの中央縦断面図、図３は本発明の実施形態で用いる下キャップの中央縦断面図、図４は図３中Ａ部分の拡大図、図５は下キャップの底面図、図６は本発明の実施形態で用いる受板の底面図、図７は図６中Ｉ−Ｉ線断面図、図８は本発明の実施形態で用いる円筒状連結体の中央部から半分を断面で示した正面図である。
【００１２】
図中、１は成形炭である。また、該成形炭１は後記成形炭本体と、上、下のキャップと、使用時にこれらを一体化する保持手段とをもって構成されている。
【００１３】
２は上キャップであり、浅い皿を伏せた形状をなし、中心部には水の流出口３を設けている。また、該上キャップ２の内面には軟質性ゴム板、シリコン、エラストマー又は発泡したアクリロニトリル・ブタジエンゴム（以下、単に「ＮＢＲ」と称する。）のいずれかからなる部材４を取着している。
【００１４】
５は、浅い皿状の下キャップであり、内面に軟質性ゴム板、シリコン、エラストマー又は発泡したＮＢＲのいずれかからなる部材６を取着している。
【００１５】
７は活性炭、粉炭、粒状炭、造粒炭又は繊維炭等からなる成形炭本体である。該成形炭本体７は従来品と同様であり、円柱状をなすと共に中心部に通水孔８が設けられている。該成形炭本体７にはバラツキがあるが、これは前記軟質性ゴム板、シリコン、エラストマー又は発泡したＮＢＲのいずれかからなる部材４、６の硬度と厚みで適宜に調整するものである。
【００１６】
また、本実施形態では、使用時において上記上キャップ２及び下キャップ５と成形炭本体７とを一体化させる保持手段として、上キャップ２の外周に雄ねじ１３を刻設し、また下キャップ５を受板１４をもって受けるようになすと共に該受板１４の外周に雄ねじ１５を刻設し、更に壁面に多数の通水口１６、１６、１６・・・を設けた円筒状連結体１７における内周の上下の端部に雌ねじ１８、１９を刻設し、該雌ねじ１８、１９に前記上キャップ２の雄ねじ１３と下キャップ５の受板１４の雄ねじ１５を夫々螺合するようになしている。また、該円筒状連結体１７の前記受板１４の雄ねじ１５を螺合する雌ねじ１９は、その長さＬを長くし、即ち、円筒状連結体１７の下端から相当程度高い位置まで刻設しているから、挟み込む成形炭本体の高さに応じて締め付け位置を変えることができるものである。尚、本実施形態では、上キャップ２に指で摘んで回し易くするために滑り止め２０を設け、また受板１４の下面には  指で回し易くするための突起２１を設けている。そして更にまた、下キャップ５の下面には、受板１４との擦れる際の摩擦抵抗を小さくするための小突起２２を所定の間隔で設けている。
【００１７】
本実施形態の場合には、上キャップ２をねじ回してその雄ねじ１３を円筒状連結体１７の雌ねじ１８に螺合し、そして成形炭本体７を挟むようにして下キャップ５を該成形炭本体７の下面にあてがい、最後に下キャップ５の下面に受板１４をあてがってねじ回し、その雄ねじ１５を円筒状連結体１７の雌ねじ１９に螺合するものである。そしてこれにより全体が一体に保持されるものである。また、成形炭本体７を廃棄するときには、前記と逆の工程で行うものである。
【００１８】
【発明の効果】
本発明は上記の如き構成であるから、廃棄するときには上、下のキャップを成形炭本体から取り外し、成形炭本体のみを廃棄し、上、下のキャップは再利用することができるものである。したがって、従来品に比してはるかに経済的であり、また省資源にも資するものである。また、廃棄するときに分別も容易である。また更に、成形炭本体そのものを再生・成形して再利用する場合にも、分解が容易にでき、作業工程上能率的且つ効果的である。
【図面の簡単な説明】
【図１】  本発明の実施形態に係る成形炭の中央部から半分を断面で示した正面図である。
【図２】  本発明の実施形態で用いる上キャップの中央縦断面図である。
【図３】  本発明の実施形態で用いる下キャップの中央縦断面図である。
【図４】  図３中Ａ部分の拡大図である。
【図５】  下キャップの底面図である。
【図６】  本発明の実施形態で用いる受板の底面図である。
【図７】  図６中Ｉ−Ｉ線断面図である。
【図８】  本発明の実施形態で用いる円筒状連結体の中央部から半分を断面で示した正面図である。
【図９】  従来の成形炭本体の斜視図である。
【図１０】  図９に示した成形炭本体の中央縦断面図である。
【図１１】  従来の成形炭の斜視図である。
【図１２】  図１１に示した成形炭の中央縦断面図である。
【図１３】  従来の成形炭の他の例の斜視図である。
【図１４】  図１３に示した成形炭の中央縦断面図である。
【符号の説明】
１  成形炭
２  上キャップ
３  水の流出口
４  軟質性ゴム板、シリコン、エラストマー又は発泡したＮＢＲのいずれかからなる部材
５  下キャップ
６  軟質性ゴム板、シリコン、エラストマー又は発泡したＮＢＲのいずれかからなる部材
７  成形炭本体
１３  雄ねじ
１４  受板
１５  雄ねじ
１６  通水口
１７  円筒状連結体
１８  雌ねじ
１９  雌ねじ
【図１】
0004519311.tif 000002
【図２】
0004519311.tif 000003
【図３】
0004519311.tif 000004
【図４】
0004519311.tif 000005
【図５】
0004519311.tif 000006
【図６】
0004519311.tif 000007
【図７】
0004519311.tif 000008
【図８】
0004519311.tif 000009
【図９】
0004519311.tif 000010
【図１０】
0004519311.tif 000011
【図１１】
0004519311.tif 000012
【図１２】
0004519311.tif 000013
【図１３】
0004519311.tif 000014
【図１４】
0004519311.tif 000015